(57)【特許請求の範囲】
【請求項１】
成形体の裏面側に樹脂層を注型成形する際に、予め成形された当該成形体をセッティングする表面型において、
当該表面型が前記成形体の表面側を保持する保持面を有し、
前記セッティング時の前記表面と前記保持面との擦れを抑制する表面擦り疵抑制部材を前記保持面に設け、
前記表面擦り疵抑制部材が前記表面型に一体化して埋め込まれた不織布であることを特徴とする金型構造。
【請求項２】
前記表面擦り疵抑制部材を前記保持面の全体に設けたことを特徴とする請求項１に記載の金型構造。
【請求項３】
前記表面擦り疵抑制部材を前記保持面に点在し且つ突出して設けたことを特徴とする請求項１に記載の金型構造。
【請求項４】
請求項１乃至３のいずれか１項に記載の金型構造を用いて前記樹脂層の注型成形を行うことを特徴とする注型成形方法。
【発明の詳細な説明】
【技術分野】
【０００１】
本発明は、金型構造及び当該金型構造を用いた注型成形方法に関するものである。
【背景技術】
【０００２】
従来から、樹脂成形品として、例えば、表面を意匠面とした浴槽等があり、当該浴槽は外観に露出する表面層と、表面層の裏面側に設けられ表面層の補強や断熱等を行う裏面層とを備える。この種の樹脂成形品の製造方法として、金型装置で形成したキャビティ内に樹脂材料を注入硬化させることで、表面層と裏面層とを積層した樹脂成形品を形成する注型成形方法がある。
【０００３】
そして、この金型装置として、例えば、特許文献１等に示す装置では、アクリル樹脂異形成形体（表面層）を形成するための注型成形型（第１金型）と、ジシクロペンタジエン重合体（裏面層）を形成するための注型成形型（第２金型）とを備える。当該金型装置はアクリル樹脂異形成形体を形成後、当該成形体を第１金型から外して第２金型にセットし、第２金型内の間隙（キャビティ）に重合性組成物を流し込み硬化させることで、表面層と裏面層とを一体化した積層成形体を形成する。
【先行技術文献】
【特許文献】
【０００４】
【特許文献１】特開２００２−３４６３５号公報
【発明の概要】
【発明が解決しようとする課題】
【０００５】
しかしながら、特許文献２のような金型装置では、アクリル樹脂異形成形体を第２金型にセットする際に、セットする機器の機械上のブレ等で当該成形体の表面が第２表面型に対して擦れることがある。そして、当該擦れを生じると、意匠面である成形体の表面に擦り疵等を発生して、積層成形体（樹脂成形品）の商品価値を低下させることがある。
【０００６】
そこで、この事情を鑑み、成形体のセッティング時（金型交換時）の成形体表面の擦り疵の発生を抑制した金型構造、及び当該金型構造を用いた注型成形方法を提供することを課題とした。
【課題を解決するための手段】
【０００７】
上記課題を解決するために、本発明の金型構造は、成形体の裏面側に樹脂層を注型成形する際に、予め成形された当該成形体をセッティングする表面型において、当該表面型が前記成形体の表面側を保持する保持面を有し、前記セッティング時の前記表面と前記保持面との擦れを抑制する表面擦り疵抑制部材を前記保持面に設け、前記表面擦り疵抑制部材が前記表面型に一体化して埋め込まれた不織布であることを特徴とする。
【０００８】
この金型構造として、前記表面擦り疵抑制部材を前記保持面の全体に設けたことが好ましい。
【０００９】
この金型構造として、前記表面擦り疵抑制部材を前記保持面に点在し且つ突出して設けたことが好ましい。
【００１２】
本発明の注型成形方法は、上述のいずれかの金型構造を用いて前記樹脂層の注型成形を行うことを特徴とする。
【発明の効果】
【００１３】
このような構成としたことで、成形体のセッティング時（金型交換時）の成形体表面の擦り疵の発生を抑制し易くすることができる。
【図面の簡単な説明】
【００１４】
【図１】第１実施形態の金型装置における第２金型及び成形体の構成説明図である。
【図２】同上の第２金型における表面型（第２表面型）の斜視図である。
【図３】同上の金型装置における第１金型の構成説明図である。
【図４】同上の金型装置で形成した樹脂成形品の斜視図である。
【図５】第２実施形態の第２表面型の構成説明図である。
【図６】同上の第２表面型の斜視図である。
【発明を実施するための形態】
【００１５】
以下、図面に基づいて本発明の実施形態を例示して説明する。
【００１６】
（第１実施形態）
第１実施形態で形成する樹脂成形品１は、例えば、図４に示すように、表面層２と裏面層４とを備えた浴槽５となっている。当該浴槽５は、一端に腰掛け用の段部７を有した底部６と、底部６の外周端から上方に立ち上がり周方向に連続した側壁８とで主体が構成され、底部６と側壁８で囲まれた空間が湯を溜める貯湯空間となっている。そして、浴槽５は底部６及び側壁８の貯湯空間を向く面が外観に露出する意匠面となっており、表面層２の表面で形成され、裏面層４は貯湯空間に溜めた湯を温度低下を抑制するための断熱層或いは表面層２を補強する補強層となっている。
【００１７】
また、樹脂成形品１（浴槽５）は、注型成形用の金型装置で形成され、当該装置は、図３に示す表面層２を形成するための第１金型１０と、図１又は２に示す裏面層４を形成するための第２金型２０とを備える。なお、詳細は後述する。
【００１８】
当該金型装置を用いた樹脂成形品１の製造方法は、第１金型１０で形成したキャビティ１３に第１の樹脂材料を注入硬化させて、表面層２となる成形体３を形成する。その後、第１金型１０から離型した成形体３を第２金型２０に搬送して、第２金型２０にセッティングする。そして、金型装置は当該成形体３をセッティングした状態で、第２金型２０で形成したキャビティ２３に第２の樹脂材料を注入硬化させて、成形体３の裏面側に裏面層４（樹脂層）を形成し、二つの樹脂を積層した樹脂成形品１を製造する。
【００１９】
詳しくは、第１金型１０が、図３に示すように、成形体３（表面層２）の表面３ａ側の転写面１１ａを有した表面型（第１表面型１１）と、成形体３の裏面３ｂ側の転写面１２ａを有した裏面型（第１裏面型１２）とを備える。第１金型１０は第１表面型１１と第１裏面型１２とを型閉めすることで、内部（第１表面型１１の転写面１１ａと第１裏面型１２の転写面１２ａとの間）に表面層２形成用のキャビティ１３を形成する。そして、第１金型１０は当該キャビティ１３に第１の樹脂材料を注入して硬化させることで、樹脂成形品１の表面層２となる成形体３を形成した後、第１金型１０を型開きする。
【００２０】
また、金型装置は、成型物を第１金型１０から取り外した後第２金型２０に搬送し当該第２金型２０にセッティングする（取り付ける）セッティング部（図示せず）を更に備える。当該セッティング部は、例えば、成形体３を裏面３ｂ側から吊下げ支持し第２金型２０に搬送した後取り付けるもの等の搬送機能と取付機能とを備えたものとなっている。なお、セッティング部は二つの機能を兼ね備えた例示の構成に限らず、成形体３搬送用の搬送部と、搬送した成形体３の第２金型２０取付用の取付部とを備えたもの等であってもよい。また、セッティング部は成形体３を搬送するものに限らず、第２金型２０を移動させて成形体３を第２金型２０にセッティング可能にするもの等の金型装置側を移動させるものであってもよい。
【００２１】
第２金型２０は、図１や図２に示すように、成形体３の表面３ａ側を保持する保持面２１ａを有した表面型（第２表面型２１）と、成形体３の裏面３ｂ側に形成する裏面層４の裏面側の転写面２２ａを有した裏面型（第２裏面型２２）とを備える。当該第２金型２０は第２表面型２１の保持面２１ａで成形体３の表面３ａ側を保持することで、成形体３がセッティングされる。そして、第２金型２０は成形体３がセッティングされた状態で、第２表面型２１と第２裏面型２２とを型閉めすることで、成形体３の裏面３ｂ（図１中の点線参照）と第２裏面型２２の転写面２２ａとの間に裏面層４形成用のキャビティ２３を形成する。更に、第２金型２０は当該キャビティ２３に第２の樹脂材料を注入して硬化させることで、樹脂成形品１の裏面層４を成形体３の裏面３ｂ側に形成して、表面層２と裏面層４とを積層して有した樹脂成形品１が製造される。
【００２２】
また、第２金型２０は樹脂成形品１の量産性向上等の繰り返し利用可能とするために成形体３に比べて硬度の高い（硬い）部材で形成されており、樹脂層形成の繰り返しに伴う保持面２１ａや転写面２２ａの消耗（磨耗や欠損等）を抑制している。そして、保持面２１ａや転写面２２ａを構成する部材は、例えば、鉄やアルミニウムやこれらを主成分とした合金等の金属材料等が好ましいが、例示のもののみに限らない。
【００２３】
ところで、第１金型１０で予め形成した成形体３を第２金型２０にセッティングする際に、搬送量の誤差等でセッティング部に機械上のブレが生じて、成形体３の表面３ａが第２表面型２１の保持面２１ａに対して擦れることがある。そして、当該擦れを生じると、上述の通り成形体３は第２表面型２１の保持面２１ａに比べて柔らかいため、樹脂成形品１の意匠面である上記表面３ａに擦り疵が発生して、樹脂成形品１の商品価値を低下させる恐れがある。
【００２４】
対して、本金型装置は、図１や図２に示すように、第２表面型２１の金型構造が、当該擦り疵の発生を抑制する表面擦り疵抑制部材４０を保持面２１ａに設けた構成となっている。表面擦り疵抑制部材４０は、例えば、フェルト等の不織布となっており、当該不織布は保持面２１ａに接着され、保持面２１ａの略全体を覆っている。そして、第２表面型２１は不織布や接着剤等の表面擦り疵抑制部材４０の厚さ分小さくする等で保持面２１ａの金型寸法が調整されている。
【００２５】
そのため、第２表面型２１は保持面２１ａを保持面２１ａに比べて柔らかい不織布で覆った金型構造となっており、成形体３は表面擦り疵抑制部材４０に接することで保持面２１ａに保持される。そして、保持面２１ａが表面擦り疵抑制部材４０を介して成形体３を保持するため、表面擦り疵抑制部材４０によって成形体３表面３ａの擦り疵が発生し難くなり、擦り疵による商品価値の低下等を抑制し易くなる。
【００２６】
（第２実施形態）
また、第２表面型２１の金型構造は、図５や図６に示すように、表面擦り疵抑制部材４０を保持面２１ａに点在して設けたものであってもよい。なお、第１金型１０や第２裏面型２２等の第１実施形態と略同様の構成の説明は省略する。
【００２７】
表面擦り疵抑制部材４０は略円柱状で、所定の間隔で複数配置されると共に、保持面２１ａのセッティング時に表面３ａと接触し易い位置に点在して設けられる。当該位置として、例えば、底部６やフランジ部となる成形体３の部位を保持する端面３０や側壁８となる部位を保持する側面３１の他、段部７となる部位を保持する凹所３２の端面３３や側面３４等となっている。そして、側面３１の表面擦り疵抑制部材４０は、少なくとも一部が凹所３２の端面３３と略同じ高さ或いは少し上方（端面３０側に近い位置）に位置することが好ましい。
【００２８】
また、表面擦り疵抑制部材４０は軸心を保持面２１ａに対して略直交させた向きで２ｍｍ程度保持面２１ａから突出した円形状の突部となっており、保持面２１ａは表面擦り疵抑制部材４０を介して成形体３を保持する。そして、表面擦り疵抑制部材４０は、例えば、テフロン（登録商標）等のフッ素樹脂で主体が構成されており、フッ素樹脂ならではの低摩擦係数等の物性によって成形体３表面３ａに擦り疵を発生し難くする。なお、表面擦り疵抑制部材４０の保持面２１ａからの突出量は例示の数値のみに限らない。そして、突部は円形状に限らず、矩形状や帯状等であってもよい。
【００２９】
このように、フッ素樹脂を主体として保持面２１ａから突出した円形状の突部を設けたことで、セッティング時に成形体３が保持面２１ａに直に接触し易くなり、セッティング時の成形体３表面３ａの擦り疵による商品価値の低下等を抑制し易くなる。
【００３０】
なお、表面擦り疵抑制部材４０は、フッ素樹脂を保持面２１ａの略全体に設けたものや、不織布を点在して設けたものや、フッ素樹脂を保持面２１ａに点在して設けると共に保持面２１ａの露出した残りの部位を不織布で覆ったもの等であってもよい。そして、不織布は接着して設けたものに限らず、金型製造時に埋め込む等で保持面２１ａに一体化して設けたものや、着脱自在に設けて消耗時等に交換可能としたもの等であってもよい。また、フッ素樹脂は、例えば、所謂フッ素加工等の表面処理で設けたものの他、接着したり、着脱自在に配置したりすることで設けられる。もちろん、不織布やフッ素樹脂の設け方は例示の構成のみに限らない。
【００３１】
また、例示の実施形態では、第２表面型２１が保持面２１ａを上方側に有し成形体３を載置する下型となっているが、第２表面型２１は下型に限らず、保持面２１ａを下方側に有した上型であってもよい。更に、第２金型２０は第２表面型２１と第２裏面型２２とを上下方向に並べて配置し縦方向に型を動かして型閉めする所謂縦閉め形のものに限らず、横方向に並べて配置し横方向に型を動かして型閉めする所謂横閉め形のものであってもよい。
【００３２】
なお、樹脂成形品１は表面層２と裏面層４とを積層した二層成形品に限らず、中間層を有した三層以上のものであってもよい。そして、成形体３は保持面２１ａで保持する表面を樹脂成形品１の意匠面としたものであれば、表面層２を注型成形して形成されたものに限らず、繊維強化プラスチック等のシート材をプレス成形して形成されたもの等であってもよい。すなわち、本樹脂成形品１の製造方法は、予め成形された成形体３の裏面３ｂ側に樹脂層を注型成形で形成する際に、表面擦り疵抑制部材４０を設けた表面型で当該成形体３の表面３ａを保持させる方法であればよい。
【００３３】
また、樹脂成形品１は例示の浴槽５に限らず、洗面台の洗面ボウルや便器装置の汚物受ボウル部等であってもよく、また容器外面を意匠面とし容器内側に補強や断熱用の裏面層４を有したケースやハウジング等の外殻部材であってもよい。そして、樹脂成形品１は容器形状に限らず、キッチンや洗面台のカウンタや床パン等の一方の板面を意匠面とした板状のもの等であってもよい。もちろん、成形体３の裏面３ｂ側に形成する樹脂層（裏面層４）は例示の断熱層や補強層に限らず、表面層２に比べて燃え難い耐火層や薬品に侵され難い耐薬層等であってもよい。
【００３４】
また、樹脂成形品１は表面層２のみを意匠面としたものに限らず、浴室に単体で載置する所謂西洋式浴槽や棚材等の表面及び裏面の両面を意匠面としたものであってもよい。このものでは、先に形成した成形体３の意匠面となる表面を第２表面型２１の保持面２１ａで保持し、当該成形体３の裏面３ｂ側に残りの樹脂層を形成するものとなる。更に、当該樹脂成形品１が三層以上のものにおいて、表面層と裏面層とを各々形成後に中間層（樹脂層）を形成するものでは、中間層成形用のキャビティを形成する金型の表面型及び裏面型に各々表面擦り疵抑制部材４０を設けてもよい。
【符号の説明】
【００３５】
１  樹脂成形品
２  表面層
３  成形体
３ａ  表面
３ｂ  裏面
４  樹脂層（裏面層）
２０  第２金型
２１  表面型（第２表面型）
２１ａ  保持面
４０  表面擦り疵抑制部材
【図１】
0005793671.tif 000002
【図２】
0005793671.tif 000003
【図３】
0005793671.tif 000004
【図４】
0005793671.tif 000005
【図５】
0005793671.tif 000006
【図６】
0005793671.tif 000007